(57)【要約】【課題】利便性の向上を図ることが可能な充電装置、通信システムを提供する。【解決手段】充電装置１は、電池接続部１１と通信装置接続部１３と電源接続部１２と電源部１４と電源制御部１５２とを備える。電池接続部１１は、バッテリパック２１が装着される。通信装置接続部１３は、通信装置３が電気的に接続される。電源接続部１２は、外部電源４が電気的に接続される。電源部１４は、バッテリパック２１、及び通信装置３の少なくとも一方に電力を供給する。電源制御部１５２は、電源接続部１２に外部電源４が接続されている場合、電源部１４に、外部電源４を入力電源としてバッテリパック２１と通信装置３に電力を供給させる。電源制御部１５２は、電源接続部１２に外部電源４が接続されていない場合、電源部１４に、二次電池２１１を入力電源として通信装置３に電力を供給させる。【選択図】図１
2017208909.tif 000002
【特許請求の範囲】
【請求項１】
二次電池を有するバッテリパックが取外し自在に装着される電池接続部と、
外部装置と通信する通信装置が電気的に接続される通信装置接続部と、
外部電源が電気的に接続される電源接続部と、
前記電池接続部に装着された前記バッテリパック、及び前記通信装置接続部に接続された前記通信装置の少なくとも一方に電力を供給する電源部と、
前記電源部を制御する電源制御部とを備え、
前記電源制御部は、
前記電源接続部に前記外部電源が接続されている場合、前記電源部に、前記外部電源を入力電源として前記バッテリパック、及び前記通信装置の両方に電力を供給する第１給電モードを実行させ、
前記電源接続部に前記外部電源が接続されていない場合、前記電源部に、前記二次電池を入力電源として前記通信装置に電力を供給する第２給電モードを実行させる
ことを特徴とする充電装置。
【請求項２】
前記電池接続部に装着された前記バッテリパックから前記二次電池の情報である電池情報を取得する情報取得部を更に備え、
前記電池情報には、前記二次電池の残容量の情報が含まれており、
前記電源制御部は、前記電源接続部に前記外部電源が接続されていない、かつ前記二次電池の残容量が閾値以上である場合、前記電源部に前記第２給電モードを実行させる
ことを特徴とする請求項１記載の充電装置。
【請求項３】
前記通信装置接続部を複数備える
ことを特徴する請求項１又は２に記載の充電装置。
【請求項４】
請求項１記載の充電装置と、
前記充電装置の前記通信装置接続部と電気的に接続される前記通信装置とを備える
ことを特徴とする通信システム。
【請求項５】
前記充電装置は、前記電池接続部に装着された前記バッテリパックから前記二次電池の情報である電池情報を取得する情報取得部を更に備え、
前記通信装置は、前記情報取得部が取得した前記電池情報を前記外部装置に送信する
ことを特徴とする請求項４記載の通信システム。
【請求項６】
前記通信装置を複数備え、
前記充電装置は、前記複数の通信装置が電気的に接続される複数の通信装置接続部を有し、
前記複数の通信装置には、バッテリパックが装着可能な電動工具を前記外部装置として通信する通信装置が含まれる
ことを特徴とする請求項４又は５に記載の通信システム。
【発明の詳細な説明】
【技術分野】
【０００１】
本発明は、一般に充電装置、通信システムに関し、より詳細には電動工具用の二次電池を充電する充電装置、及びそれを備える通信システムに関する。
【背景技術】
【０００２】
従来、電動工具の二次電池に対して充電を行う電動工具用充電装置（充電装置）がある（例えば、特許文献１参照）。特許文献１に記載の充電装置は、二次電池の状態情報を、外部と近距離通信可能な通信部（通信装置）に出力する情報処理部を備えている。
【先行技術文献】
【特許文献】
【０００３】
【特許文献１】特開２０１６−１５８１３号公報
【発明の概要】
【発明が解決しようとする課題】
【０００４】
特許文献１の充電装置は、外部の交流電源（外部電源）を入力電源として通信装置に電力を供給する構成であるので、外部電源の確保が困難な場所（例えば屋外）では通信装置を動作させることができず、利便性が損なわれるおそれがあった。
【０００５】
本発明は、上記事由に鑑みてなされており、その目的は、利便性の向上を図ることが可能な充電装置、及び通信システムを提供することにある。
【課題を解決するための手段】
【０００６】
本発明の一態様に係る充電装置は、電池接続部と、通信装置接続部と、電源接続部と、電源部と、電源制御部とを備える。前記電池接続部は、二次電池を有するバッテリパックが取外し自在に装着される。前記通信装置接続部は、外部装置と通信する通信装置が電気的に接続される。前記電源接続部は、外部電源が電気的に接続される。前記電源部は、前記電池接続部に装着された前記バッテリパック、及び前記通信装置接続部に接続された前記通信装置の少なくとも一方に電力を供給する。前記電源制御部は、前記電源部を制御する。前記電源制御部は、前記電源接続部に前記外部電源が接続されている場合、前記電源部に、前記外部電源を入力電源として前記バッテリパック、及び前記通信装置の両方に電力を供給する第１給電モードを実行させる。前記電源制御部は、前記電源接続部に前記外部電源が接続されていない場合、前記電源部に、前記二次電池を入力電源として前記通信装置に電力を供給する第２給電モードを実行させる。
【０００７】
本発明の一態様に係る通信システムは、上記の充電装置と、前記充電装置の前記通信装置接続部と電気的に接続される前記通信装置とを備える。
【発明の効果】
【０００８】
本発明の充電装置、通信システムでは、利便性の向上を図ることが可能になるという効果がある。
【図面の簡単な説明】
【０００９】
【図１】図１は、本発明の一実施形態に係る充電装置、及び通信システムのブロック図である。
【図２】図２は、本発明の一実施形態の変形例に係る充電装置、及び通信システムのブロック図である。
【発明を実施するための形態】
【００１０】
以下、本発明の実施の形態を図面に基づいて説明する。
【００１１】
（実施形態）
＜概要＞
図１に、本実施形態に係る充電装置１、及び充電装置１を備える通信システム１０のブロック図を示す。本実施形態の充電装置１は、電動工具２用のバッテリパック２１を充電可能な可搬型の充電装置である。本実施形態の通信システム１０は、充電装置１と、この充電装置１と電気的に接続される複数（図１では３つ）の通信装置３とを備えている。充電装置１は、外部電源４（商用電源）を入力電源としてバッテリパック２１の二次電池２１１を充電する充電機能と、バッテリパック２１の二次電池２１１を入力電源として通信装置３に電力を供給する給電機能とを有している。
【００１２】
＜構成＞
以下に、本実施形態の充電装置１、及び通信システム１０の詳細について説明する。充電装置１は、電池接続部１１、電源接続部１２、通信装置接続部１３、電源部１４、制御部１５、及び記憶部１６を備えている。通信システム１０は、充電装置１、及び複数（図１では３つ）の通信装置３を備えている。
【００１３】
電池接続部１１は、１つのバッテリパック２１が取外し自在に装着可能なコネクタである。バッテリパック２１は、電動工具２（例えばインパクトドライバー、インパクトレンチ、ハンマードリル等）に装着された場合、この電動工具２の動作電源として機能する。図１では、電池接続部１１、及び電動工具２に、それぞれ別個のバッテリパック２１が装着されている。バッテリパック２１は、直並列接続された複数のセルで構成された二次電池２１１（例えばリチウムイオン電池、ニッケル水素電池等）を備えている。バッテリパック２１の定格電圧、及び定格容量は、複数のセルの数（直列数、並列数）により決定される。バッテリパック２１の定格電圧として、例えば10.8V、14.4V、18V、21.6V、28.8V等がある。
【００１４】
電源接続部１２は、電源ケーブル４０と電気的に接続可能なレセプタクルである。電源ケーブル４０は、交流用の電源ケーブルであり、一端側に電源接続部１２と電気的及び機械的に接続可能なプラグが設けられ、他端側に例えば壁面に設けられたコンセント（アウトレット）と電気的及び機械的に接続可能なプラグが設けられている。電源ケーブル４０が、電源接続部１２とコンセントとの両方に接続されることにより、電源接続部１２と外部電源４とが電気的に接続される。なお、電源接続部１２は、電源ケーブル４０と一体に構成されていてもよい。
【００１５】
通信装置接続部１３は、通信装置３と電気的に接続するためのインターフェースである。ここでの「通信装置３と電気的に接続する」には、通信装置３との間の電気信号の送受信（データ伝送）、及び通信装置３への電力供給を可能とするように接続するの概念を含んでいる。本実施形態の通信装置接続部１３は、ＵＳＢ端子で構成されており、１つの通信装置接続部１３でデータ伝送及び電力供給の両方が可能である。なお、通信装置接続部１３は、データ伝送するための端子と、電力供給するための端子とが別々であってもよい。
【００１６】
充電装置１は、通信装置接続部１３を複数（図１では３つ）備えている。複数の通信装置接続部１３の各々には、通信装置３が１つずつ電気的に接続可能である。本実施形態では、３つの通信装置接続部１３の各々に、ＵＳＢケーブル３０を介して通信装置３が電気的に接続されている。３つの通信装置接続部１３を区別する場合、通信装置接続部１３Ａ，１３Ｂ，１３Ｃという。また、３つの通信装置３を区別する場合、通信装置３Ａ，３Ｂ，３Ｃという。通信装置接続部１３Ａ，１３Ｂ，１３Ｃには、それぞれ、通信装置３Ａ，３Ｂ，３Ｃが電気的に接続されている。通信装置３Ａ，３Ｂ，３Ｃは、互いに異なる無線通信規格により、互いに異なる外部装置との無線通信が可能に構成されている。また、通信装置３Ａ，３Ｂ，３Ｃが送受信する無線信号は、干渉しないように互いに異なる周波数に設定されている。
【００１７】
通信装置３Ａは、例えばbluetooth（登録商標）、DECT（Digital Enhanced Cordless Telecommunications）（登録商標）、ZigBee（登録商標）等の無線通信規格に対応した通信モジュール３１Ａを備えている。通信装置３Ａは、通信モジュール３１Ａを用いて外部装置である電動工具２と通信可能に構成されている。電動工具２は、バッテリパック２１を動作電源としており、通信モジュール３１Ａと共通の無線通信規格に対応した通信モジュール２２を備えている。
【００１８】
通信装置３Ｂは、例えばWi-Fi（登録商標）等の無線通信規格に対応した通信モジュール３１Ｂを備えている。通信装置３Ｂは、通信モジュール３１Ｂを用いて外部装置である携帯端末５（例えばスマートフォン、タブレット端末等）と通信可能に構成されている。携帯端末５は、通信モジュール３１Ｂと共通の無線通信規格に対応した通信モジュール５１を備えている。
【００１９】
通信装置３Ｃは、例えば携帯電話回線６０に接続可能な無線通信規格に対応した通信モジュール３１Ｃを備えている。通信装置３Ｃは、通信モジュール３１Ｃを用いて携帯電話回線６０を介し外部装置であるサーバ６と通信可能に構成されている。
【００２０】
なお、通信装置３は、複数の通信モジュールを備え、異なる無線通信規格に対応した複数の外部装置と通信可能に構成されていてもよい。また、１つの通信装置３が、複数の外部装置と通信可能に構成されていてもよい。例えば、通信装置３がbluetoothに対応した通信モジュール３１Ａを備え、携帯端末５及び電動工具２とbluetoothで通信するように構成されていてもよい。通信装置３と外部装置との間の通信は、無線通信に限らず有線通信であってもよい。
【００２１】
また、通信装置接続部１３の数は、３つに限らず、例えば１つであってもよい。また、充電装置１に接続する通信装置３の種類、数は、通信システム１０の使用環境に応じて使用時に適宜変更が可能である。例えば、ＮＦＣ（Near field radiocommunication）の無線通信規格に対応した通信モジュールを備える通信装置３が充電装置１に接続されていてもよい。
【００２２】
電源部１４は、ＡＣ−ＤＣ変換回路１４１と、ＤＣ−ＤＣ変換回路１４２とを備えている。電源部１４は、動作モードとして、外部電源４を入力電源として二次電池２１１、及び通信装置３に電力を供給する第１給電モードと、バッテリパック２１を入力電源として通信装置３に電力を供給する第２給電モードとを有している。
【００２３】
ＡＣ−ＤＣ変換回路１４１は、電源接続部１２と電気的に接続されている。電源接続部１２が電源ケーブル４０を介して外部電源４と電気的に接続されている場合、ＡＣ−ＤＣ変換回路１４１は、外部電源４から供給される交流電圧を直流電圧に変換し、ＤＣ−ＤＣ変換回路１４２に出力する。
【００２４】
ＤＣ−ＤＣ変換回路１４２は、双方向コンバータ回路であり、動作モード（第１給電モード，第２給電モード）に応じて、ＡＣ−ＤＣ変換回路１４１の出力電圧、又は電池接続部１１に接続されたバッテリパック２１の出力電圧を降圧した直流電圧を生成する。
【００２５】
第１給電モードでは、ＤＣ−ＤＣ変換回路１４２は、ＡＣ−ＤＣ変換回路１４１の出力電圧を降圧した直流電圧を生成し、この直流電圧を電池接続部１１、及び各通信装置接続部１３に出力する。ＤＣ−ＤＣ変換回路１４２が電池接続部１１と各通信装置接続部１３とに出力する電圧は、互いに電圧値が異なる場合がある。ＤＣ−ＤＣ変換回路１４２が電池接続部１１に出力する電圧の電圧値は、電池接続部１１に接続されているバッテリパック２１の定格電圧に基づいて決定される。ＤＣ−ＤＣ変換回路１４２が各通信装置接続部１３（ＵＳＢ端子）に出力する電圧の電圧値は、例えば５［Ｖ］である。これにより、電源部１４は、外部電源４からの供給電力をもとに、バッテリパック２１を充電し、かつ通信装置３に電源供給する。なお、ＤＣ−ＤＣ変換回路１４２は、二次電池２１１の残容量に基づいて、バッテリパック２１に供給する直流電力の定電圧制御と定電流制御とを切り替えるように構成されていることが好ましい。
【００２６】
第２給電モードでは、ＤＣ−ＤＣ変換回路１４２は、電池接続部１１に接続されたバッテリパック２１の出力電圧を降圧した直流電圧を生成し、この直流電圧を各通信装置接続部１３に出力する。これにより、電源部１４は、バッテリパック２１からの供給電力をもとに、通信装置３に電源供給する。
【００２７】
つまり、電源部１４は、第１給電モードでは、外部電源４を入力電源としてバッテリパック２１の充電、及び通信装置３への電力供給を行い、第２給電モードでは、バッテリパック２１を入力電源として通信装置３への電力供給を行う。
【００２８】
制御部１５は、例えばメモリ、プロセッサを有するマイコン（マイクロコンピュータ）であり、プロセッサがメモリに格納されたプログラムを実行することにより種々の機能を実現する。プログラムは、予めメモリに記憶されていてもよいし、メモリカードなどの記憶媒体に記録されて提供されてもよいし、電気通信回線を通して提供されてもよい。
【００２９】
制御部１５は、情報取得部１５１、電源制御部１５２、及び通信制御部１５３を備えている。
【００３０】
情報取得部１５１は、電池接続部１１を介して、バッテリパック２１から二次電池２１１の情報である電池情報を取得する。電池情報には、残容量情報、温度情報、定格電圧情報、定格容量情報、回数情報等が含まれる。残容量情報は、バッテリパック２１が備える二次電池２１１の残容量を表す。温度情報は、二次電池２１１の温度を表す。定格電圧情報は、バッテリパック２１の定格電圧を表す。定格容量情報は、バッテリパック２１の定格容量を表す。回数情報は、二次電池２１１の充電回数を表す。これらの情報（電池情報）は、バッテリパック２１が保持している。情報取得部１５１は、電池接続部１１にバッテリパック２１が接続された際に、電池接続部１１を介してこのバッテリパック２１から電池情報を取得する。
【００３１】
電源制御部１５２は、電源部１４を制御する。具体的には、電源制御部１５２は、情報取得部１５１が取得した電池情報、及び電源接続部１２における外部電源４との接続状態に基づいて、電源部１４に第１給電モード又は第２給電モードを実行させる。
【００３２】
電源制御部１５２は、電源接続部１２に入力される電圧を監視することにより、電源接続部１２が外部電源４に接続されているか否かを判断している。電源制御部１５２は、電源接続部１２が外部電源４に接続されている場合、電源部１４に第１給電モードを実行させる。これにより、電源部１４は、外部電源４を入力電源として、バッテリパック２１の充電、及び通信装置３への電力供給を行う。
【００３３】
また、電源制御部１５２は、電池接続部１１に入力される電圧を監視することにより、電池接続部１１にバッテリパック２１が接続されているか否かを判断している。電源制御部１５２は、電源接続部１２が外部電源４に接続されておらず、かつ電池接続部１１にバッテリパック２１が接続されている場合、電源部１４に第２給電モードを実行させる。これにより、電源部１４は、バッテリパック２１を入力電源として、通信装置３への電力供給を行う。ここで、電源制御部１５２は、情報取得部１５１が取得した残容量情報（二次電池２１１の残容量）に基づき、二次電池２１１の残容量が閾値以上である場合に電源部１４に第２給電モードを実行させることが好ましい。言い換えれば、電源制御部１５２は、二次電池２１１の残容量が閾値未満である場合に電源部１４に第２給電モードを実行させないことが好ましい。
【００３４】
通信制御部１５３は、各通信装置接続部１３に接続された通信装置３の通信を制御する。具体的には、通信制御部１５３は、ゲートウェイ機能を有しており、通信装置３が外部装置（電動工具２、携帯端末５、サーバ６）との間で送受信したデータを他の通信装置３に伝送させる。つまり、通信制御部１５３は、外部装置間でデータを中継する。
【００３５】
記憶部１６は、例えばフラッシュメモリで構成されている。記憶部１６には、情報取得部１５１が電池接続部１１に接続されたバッテリパック２１から取得した電池情報が記憶される。また、記憶部１６には、通信装置３が外部装置から受信したデータが記憶される。
【００３６】
＜動作例＞
次に、充電装置１、及び通信システム１０の動作例について説明する。
【００３７】
まず、充電装置１の電源接続部１２に外部電源４が接続されている場合の動作例について説明する。
【００３８】
充電装置１は、例えば事務所等のように外部電源４を確保可能な場所にある場合、バッテリパック２１を充電する充電装置として主に機能する。電源接続部１２に外部電源４が接続されていることにより、電源制御部１５２は、電源部１４に第１給電モードを実行させる。これにより、充電装置１は、外部電源４を入力電源としてバッテリパック２１を充電する。また、通信制御部１５３は、情報取得部１５１が取得した電池情報を通信装置３Ｂを介して携帯端末５に送信する。これにより、ユーザは、例えば携帯端末５にインストールされたアプリケーションプログラムを用いて電池情報を管理することができ、バッテリパック２１の充電状況を充電装置１から離れた場所でも確認することが可能となる。また、携帯端末５は、バッテリパック２１の充電回数が閾値回数を上回った場合、バッテリパック２１の寿命が近いことをユーザに通知することが好ましい。これにより、バッテリパック２１のメンテナンスを容易に行うことができる。
【００３９】
また、通信制御部１５３は、電池情報を通信装置３Ｃを介してサーバ６に送信する。これにより、ユーザは、充電装置１から離れた遠隔地においても、サーバ６にアクセスすることにより、バッテリパック２１の電池情報を管理することができる。また、サーバ６を用いて、複数のバッテリパック２１の電池情報の管理も容易に行うことができる。
【００４０】
次に、充電装置１の電源接続部１２に外部電源４が接続されていない場合の動作例について説明する。
【００４１】
充電装置１は、例えば屋外の作業現場等のように外部電源４の確保が困難な場所にある場合、通信装置３の電源、及び親機として主に機能する。電源接続部１２に外部電源４が接続されていないことにより、電源制御部１５２は、電源部１４に第２給電モードを実行させる。これにより、充電装置１は、バッテリパック２１を入力電源として通信装置３に電源供給する。
【００４２】
充電装置１に接続された通信装置３Ａ，３Ｂ，３Ｃにより、充電装置１を介した電動工具２、携帯端末５、及びサーバ６の相互通信が可能となる。電動工具２は、例えば作業履歴、装着されているバッテリパック２１の二次電池２１１の残容量情報等を充電装置１に送信する。この電動工具２の作業履歴には、例えば電動工具２の１日の使用時間、累積使用時間、１日の使用回数、累積使用回数、使用毎の設定（例えばトルク数等）、作業結果等が含まれている。充電装置１は、通信装置３Ａを介して電動工具２から受信した作業履歴を記憶部１６に記憶する。通信制御部１５３は、定期的あるいは携帯端末５からデータの送信要求が発生した際に、記憶部１６に記憶されている電動工具２の作業履歴、二次電池２１１の残容量情報を携帯端末５に送信する。これにより、ユーザは、外部電源４がない作業現場でも携帯端末５を用いて電動工具２の作業履歴、二次電池２１１の残容量情報を管理することが可能となり、利便性の向上を図ることが可能となる。また、携帯端末５は、電動工具２の累積使用時間が閾値時間を上回った場合、電動工具２の寿命が近いことをユーザに通知することが好ましい。また、携帯端末５は、電動工具２の累積使用回数（例えばモータの累積回転数）が閾値回数を上回った場合、電動工具２の寿命が近いことをユーザに通知することが好ましい。これにより、電動工具２のメンテナンスを容易に行うことができる。
【００４３】
また、通信制御部１５３は、定期的あるいはサーバ６からデータの送信要求が発生した際に、記憶部１６に記憶されている電動工具２の作業履歴、二次電池２１１の残容量情報をサーバ６に送信する。これにより、ユーザは、充電装置１から離れた遠隔地においても、サーバ６にアクセスすることにより、電動工具２の作業履歴、二次電池２１１の残容量情報を管理することができるので、充電装置１は、利便性の向上を図ることが可能となる。また、サーバ６を用いて、例えば作業現場毎の電動工具２の作業履歴、二次電池２１１の残容量情報を一括して管理することができ、利便性の向上を図ることが可能となる。
【００４４】
なお、上述した動作例は一例であって、本実施形態の充電装置１、通信システム１０の動作は上記に限らない。例えば、充電装置１は、携帯端末５あるいはサーバ６から、電動工具２の設定情報を受信し、この設定情報を電動工具２に送信して電動工具２の設定を更新するように構成されていてもよい。
【００４５】
＜変形例＞
次に、実施形態の変形例に係る充電装置１Ａ、通信システム１０Ａについて図２を用いて説明する。
【００４６】
本変形例の充電装置１は、通信制御部１５３の代わりにハブ装置１７を備えている。ハブ装置１７は、ＵＳＢハブであり、各通信装置接続部１３に接続されている。通信装置接続部１３Ｃには、ホストコントローラ７（例えばノートパソコン）がＵＳＢケーブル３０を介して接続されており、このホストコントローラ７により、通信装置接続部１３に接続された通信装置３の通信が制御される。
【００４７】
本変形例では、比較的複雑な処理を行うゲートウェイ機能を有する通信制御部１５３が不要となり、比較的簡易な構成のハブ装置１７を備えるので、、充電装置１の構成の簡略化を図ることが可能となる。
【００４８】
＜まとめ＞
第１態様に係る充電装置１（１Ａ）は、電池接続部１１と、通信装置接続部１３と、電源接続部１２と、電源部１４と、電源制御部１５２とを備える。電池接続部１１は、二次電池２１１を有するバッテリパック２１が取外し自在に装着される。通信装置接続部１３は、外部装置（電動工具２、携帯端末５、サーバ６）と通信する通信装置３が電気的に接続される。電源接続部１２は、外部電源４が電気的に接続される。電源部１４は、電池接続部１１に装着されたバッテリパック２１、及び通信装置接続部１３に接続された通信装置３の少なくとも一方に電力を供給する。電源制御部１５２は、電源部１４を制御する。電源制御部１５２は、電源接続部１２に外部電源４が接続されている場合、電源部１４に、外部電源４を入力電源としてバッテリパック２１、及び通信装置３の両方に電力を供給する第１給電モードを実行させる。電源制御部１５２は、電源接続部１２に外部電源４が接続されていない場合、電源部１４に、二次電池２１１を入力電源として通信装置３に電力を供給する第２給電モードを実行させる。
【００４９】
上記構成により、外部電源４がない場所でもバッテリパック２１の二次電池２１１を入力電源として通信装置３を動作させることが可能となるので、利便性の向上を図ることが可能となる。
【００５０】
第２態様に係る充電装置１（１Ａ）は、第１態様において、情報取得部１５１を備えることが好ましい。情報取得部１５１は、電池接続部１１に装着されたバッテリパック２１から二次電池２１１の情報である電池情報を取得することが好ましい。電池情報には、二次電池２１１の残容量の情報が含まれていることが好ましい。電源制御部１５２は、電源接続部１２に外部電源４が接続されていない、かつ二次電池２１１の残容量が閾値以上である場合、電源部１４に第２給電モードを実行させることが好ましい。
【００５１】
上記構成により、バッテリパック２１の二次電池２１１の残容量が閾値未満である場合は、二次電池２１１の放電が行われないので、二次電池２１１の過放電を抑制することが可能となる。
【００５２】
第３態様に係る充電装置１（１Ａ）は、第１態様又は第２態様において、通信装置接続部１３を複数備えることが好ましい。
【００５３】
上記構成により、充電装置１（１Ａ）に複数の通信装置３の接続が可能となり、外部装置（電動工具２、携帯端末５、サーバ６）間でのデータ伝送を中継することが可能となり、利便性の向上を図ることが可能となる。
【００５４】
第４態様に係る通信システム１０（１０Ａ）は、第１態様の充電装置１（１Ａ）と、充電装置１（１Ａ）の通信装置接続部１３と電気的に接続される通信装置３とを備える。
【００５５】
上記構成により、外部電源４がない場所でもバッテリパック２１の二次電池２１１を入力電源として通信装置３を動作させることが可能となるので、利便性の向上を図ることが可能となる。
【００５６】
第５態様に係る通信システム１０（１０Ａ）は、第４態様において、充電装置１（１Ａ）は、電池接続部１１に装着されたバッテリパック２１から二次電池２１１の情報である電池情報を取得する情報取得部１５１を備えることが好ましい。通信装置３は、情報取得部１５１が取得した電池情報を外部装置（携帯端末５、サーバ６）に送信することが好ましい。
【００５７】
上記構成により、二次電池２１１の電池情報を外部装置（携帯端末５、サーバ６）で管理することが可能となり、利便性の向上を図ることが可能となる。
【００５８】
第６態様に係る通信システム１０（１０Ａ）は、第４態様又は第５態様において、通信装置３を複数備えることが好ましい。充電装置１（１Ａ）は、複数の通信装置３が電気的に接続される複数の通信装置接続部１３を有することが好ましい。複数の通信装置３には、バッテリパック２１が装着可能な電動工具２を外部装置として通信する通信装置３が含まれることが好ましい。
【００５９】
上記構成により、電動工具２との通信が可能となり、電動工具２の作業履歴等を容易に管理することが可能となる。
【００６０】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００６１】
１，１Ａ  充電装置
１０，１０Ａ  通信システム
１１  電池接続部
１２  電源接続部
１３（１３Ａ，１３Ｂ，１３Ｃ）  通信装置接続部
１４  電源部
１５１  情報取得部
１５２  電源制御部
２  電動工具（外部装置）
２１  バッテリパック
２１１  二次電池
３（３Ａ，３Ｂ，３Ｃ）  通信装置
４  外部電源
５  携帯端末（外部装置）
６  サーバ（外部装置）
【図１】
2017208909.tif 000003
【図２】
2017208909.tif 000004